(57)【特許請求の範囲】
【請求項１】
表示データを記憶する表示データ記憶手段と、
前記表示データ記憶手段に記憶された表示データに基づいて画像を表示手段に表示させる表示制御手段と、
前記表示手段に表示されている画像に対してユーザが指定した位置を特定する位置特定手段と、
前記位置特定手段によって特定された位置に識別情報を割り当てる割当手段と、
前記位置特定手段によって特定された位置と、前記割当手段により当該位置に割り当てられた前記識別情報とを対応付けて記憶する識別情報記憶手段と、
前記識別情報をユーザに通知する通知手段と、
記録媒体を読み取った画像を表す画像情報に基づいて画像認識処理を行った結果により、ユーザにより指定された識別情報を抽出する抽出手段と、
ユーザにより入力された注釈情報を取得する取得手段と、
前記抽出手段により抽出された識別情報と、前記識別情報記憶手段に記憶されている識別情報とが一致すると、当該識別情報に対応付けて前記識別情報記憶手段に記憶されている位置と、前記取得手段が取得した注釈情報とを対応付けて記憶する注釈情報記憶手段と、
前記表示制御手段によって前記表示データに基づいた画像が表示されているときに、前記注釈情報記憶手段に記憶されている位置に関連させて、当該位置に対応付けて記憶されている前記注釈情報を出力する出力手段と
を備えることを特徴とする画像表示装置。
【請求項２】
表示データを記憶する表示データ記憶手段と、
前記表示データ記憶手段に記憶された表示データに基づいて画像を表示手段に表示させる表示制御手段と、
前記表示手段に表示されている画像に対してユーザが指定した位置を特定する位置特定手段と、
前記位置特定手段によって特定された位置に識別情報を割り当てる割当手段と、
前記位置特定手段によって特定された位置と、前記割当手段により当該位置に割り当てられた前記識別情報とを対応付けて記憶する識別情報記憶手段と、
前記識別情報をユーザに通知する通知手段と、
ユーザにより入力された音声に基づいて音声認識処理を行った結果により、ユーザにより指定された識別情報を特定する識別情報特定手段と、
ユーザにより入力された注釈情報を取得する取得手段と、
前記識別情報特定手段により特定された識別情報と、前記識別情報記憶手段に記憶されている識別情報とが一致すると、当該識別情報に対応付けて前記識別情報記憶手段に記憶されている位置と、前記取得手段が取得した注釈情報とを対応付けて記憶する注釈情報記憶手段と、
前記表示制御手段によって前記表示データに基づいた画像が表示されているときに、前記注釈情報記憶手段に記憶されている位置に関連させて、当該位置に対応付けて記憶されている前記注釈情報を出力する出力手段と
を備えることを特徴とする画像表示装置。
【請求項３】
ユーザによって前記識別情報および前記注釈情報が書き込まれた記録媒体を読み取った画像を表す画像情報を取得し、取得した画像情報が表す画像において、前記識別情報が書き込まれた画像領域と、前記注釈情報が書き込まれた画像領域とをそれぞれ特定する領域特定手段を備え、
前記抽出手段は、前記領域特定手段が特定したそれぞれの画像領域から前記識別情報と前記注釈情報とを抽出し、
前記取得手段は、前記抽出手段により抽出された前記注釈情報を取得する
ことを特徴とする請求項１に記載の画像表示装置。
【請求項４】
ユーザによって前記識別情報および前記注釈情報がそれぞれ複数書き込まれている場合、
前記抽出手段は、
前記領域特定手段が特定したそれぞれの前記画像領域から前記識別情報と前記注釈情報とを抽出し、
抽出した当該識別情報が書き込まれていた画像領域と、抽出した当該注釈情報が書き込まれていた画像領域との位置関係に基づいて、互いに関連する前記識別情報と前記注釈情報とを特定する
ことを特徴とする請求項３に記載の画像表示装置。
【請求項５】
画像表示装置と入力装置とを備える画像表示システムにおいて、
前記画像表示装置は、
表示データを記憶する表示データ記憶手段と、
前記表示データ記憶手段に記憶された表示データに基づいて画像を表示手段に表示させる表示制御手段と、
前記表示手段に表示されている画像に対してユーザが指定した位置を特定する位置特定手段と、
前記位置特定手段によって特定された位置に識別情報を割り当てる割当手段と、
前記位置特定手段によって特定された位置と、前記割当手段により当該位置に割り当てられた前記識別情報とを対応付けて記憶する識別情報記憶手段と、
前記識別情報をユーザに通知する通知手段と、
記録媒体を読み取った画像を表す画像情報を前記入力装置から取得し、取得した画像情報に基づいて画像認識処理を行った結果により、ユーザにより指定された識別情報を抽出する抽出手段と、
ユーザにより入力された注釈情報を前記入力装置から取得する取得手段と、
前記抽出手段により抽出された識別情報と、前記識別情報記憶手段に記憶されている識別情報とが一致すると、当該識別情報に対応付けて前記識別情報記憶手段に記憶されている位置と、前記取得手段が取得した注釈情報とを対応付けて記憶する注釈情報記憶手段と、
前記表示制御手段によって前記表示データに基づいた画像が表示されているときに、前記注釈情報記憶手段に記憶されている位置に関連させて、当該位置に対応付けて記憶されている前記注釈情報を出力する出力手段と
を有し、
前記入力装置は、
ユーザによる前記画像情報および前記注釈情報の入力を受け付ける受付手段と、
前記受付手段が入力を受け付けた前記画像情報および前記注釈情報を前記画像表示装置へ送信する送信手段と
を有する
ことを特徴とする画像表示システム。
【請求項６】
画像表示装置と入力装置とを備える画像表示システムにおいて、
う前記画像表示装置は、
表示データを記憶する表示データ記憶手段と、
前記表示データ記憶手段に記憶された表示データに基づいて画像を表示手段に表示させる表示制御手段と、
前記表示手段に表示されている画像に対してユーザが指定した位置を特定する位置特定手段と、
前記位置特定手段によって特定された位置に識別情報を割り当てる割当手段と、
前記位置特定手段によって特定された位置と、前記割当手段により当該位置に割り当てられた前記識別情報とを対応付けて記憶する識別情報記憶手段と、
前記識別情報をユーザに通知する通知手段と、
ユーザにより入力された音声を表す音声信号を前記入力装置から取得し、取得した音声信号に基づいて音声認識処理を行った結果により、ユーザにより指定された識別情報を特定する識別情報特定手段と、
ユーザにより入力された注釈情報を前記入力装置から取得する取得手段と、
前記識別情報特定手段により特定された識別情報と、前記識別情報記憶手段に記憶されている識別情報とが一致すると、当該識別情報に対応付けて前記識別情報記憶手段に記憶されている位置と、前記取得手段が取得した注釈情報とを対応付けて記憶する注釈情報記憶手段と、
前記表示制御手段によって前記表示データに基づいた画像が表示されているときに、前記注釈情報記憶手段に記憶されている位置に関連させて、当該位置に対応付けて記憶されている前記注釈情報を出力する出力手段と
を有し、
前記入力装置は、
ユーザによる音声および前記注釈情報の入力を受け付ける受付手段と、
前記受付手段が入力を受け付けた音声を表す音声信号および前記注釈情報を前記画像表示装置へ送信する送信手段と
を有する
ことを特徴とする画像表示システム。
【請求項７】
コンピュータを、
表示データを記憶する表示データ記憶手段と、
前記表示データ記憶手段に記憶された表示データに基づいて画像を表示手段に表示させる表示制御手段と、
前記表示手段に表示されている画像に対してユーザが指定した位置を特定する位置特定手段と、
前記位置特定手段によって特定された位置に識別情報を割り当てる割当手段と、
前記位置特定手段によって特定された位置と、前記割当手段により当該位置に割り当てられた前記識別情報とを対応付けて記憶する識別情報記憶手段と、
前記識別情報をユーザに通知する通知手段と、
記録媒体を読み取った画像を表す画像情報に基づいて画像認識処理を行った結果により、ユーザにより指定された識別情報を抽出する抽出手段と、
ユーザにより入力された注釈情報を取得する取得手段と、
前記抽出手段により抽出された識別情報と、前記識別情報記憶手段に記憶されている識別情報とが一致すると、当該識別情報に対応付けて前記識別情報記憶手段に記憶されている位置と、前記取得手段が取得した注釈情報とを対応付けて記憶する注釈情報記憶手段と、
前記表示制御手段によって前記表示データに基づいた画像が表示されているときに、前記注釈情報記憶手段に記憶されている位置に関連させて、当該位置に対応付けて記憶されている前記注釈情報を出力する出力手段
として機能させるためのプログラム。
【請求項８】
コンピュータを、
表示データを記憶する表示データ記憶手段と、
前記表示データ記憶手段に記憶された表示データに基づいて画像を表示手段に表示させる表示制御手段と、
前記表示手段に表示されている画像に対してユーザが指定した位置を特定する位置特定手段と、
前記位置特定手段によって特定された位置に識別情報を割り当てる割当手段と、
前記位置特定手段によって特定された位置と、前記割当手段により当該位置に割り当てられた前記識別情報とを対応付けて記憶する識別情報記憶手段と、
前記識別情報をユーザに通知する通知手段と、
ユーザにより入力された音声に基づいて音声認識処理を行った結果により、ユーザにより指定された識別情報を特定する識別情報特定手段と、
ユーザにより入力された注釈情報を取得する取得手段と、
前記識別情報特定手段により特定された識別情報と、前記識別情報記憶手段に記憶されている識別情報とが一致すると、当該識別情報に対応付けて前記識別情報記憶手段に記憶されている位置と、前記取得手段が取得した注釈情報とを対応付けて記憶する注釈情報記憶手段と、
前記表示制御手段によって前記表示データに基づいた画像が表示されているときに、前記注釈情報記憶手段に記憶されている位置に関連させて、当該位置に対応付けて記憶されている前記注釈情報を出力する出力手段
として機能させるためのプログラム。
【発明の詳細な説明】
【技術分野】
【０００１】
本発明は、電子文書などの画像に注釈を付加するための技術に関する。
【背景技術】
【０００２】
会議やプレゼンテーションの場において、それに参加しているユーザは、ＰＤＡ（Personal Digital Assisstants）やモバイルコンピュータ等の画像表示装置に表示される電子文書を閲覧することがある。このとき、ユーザは、例えば発言者の発言内容に関するメモとか、電子文書の記載事項について補足すべき事項や留意事項など（以下、これらを「注釈」と総称する）を、関連する記載部分の近傍や、同じページの空欄に書き込みたいことがある。
【０００３】
画像表示装置に表示された画像に注釈を直接書き込むために、例えばユーザがタッチペン等でタッチパネル式の表示部をなぞることにより文字を入力する、という技術が知られている。しかしながら、ユーザによって書き込まれた内容を正しく認識することができないこともあるし、また、表示部にタッチパネル式を採用していない端末では、そもそもユーザは注釈を書き込むことができない。そこで、特許文献１には、ユーザが注釈、ユーザＩＤおよび文書ＩＤを用紙に書き込んでおき、端末がこの用紙を読み取ってユーザＩＤおよび文書ＩＤを認識し、これによって特定したユーザ及び電子文書に対応付けて注釈の内容を記憶するという技術が開示されている。
【特許文献１】特開２００７−２０８６６４号公報
【発明の開示】
【発明が解決しようとする課題】
【０００４】
しかしながら、特許文献１に記載の技術は、電子文書単位で注釈の内容を管理するものに過ぎないから、電子文書中のどの位置にユーザが注釈を書き込んだかなどといった詳細な内容を知ることができない。
本発明は、かかる事情に鑑みてなされたものであり、その目的は、ユーザによって入力された注釈の内容をそのユーザが所望する位置に付加しておき、さらに、その注釈の内容をその位置に関連させてユーザに提示することにある。
【課題を解決するための手段】
【０００５】
上述した目的を達成するために、本発明は、表示データを記憶する表示データ記憶手段と、前記表示データ記憶手段に記憶された表示データに基づいて画像を表示手段に表示させる表示制御手段と、前記表示手段に表示されている画像に対してユーザが指定した位置を特定する位置特定手段と、前記位置特定手段によって特定された位置に識別情報を割り当てる割当手段と、前記位置特定手段によって特定された位置と、前記割当手段により当該位置に割り当てられた前記識別情報とを対応付けて記憶する識別情報記憶手段と、前記識別情報をユーザに通知する通知手段と、記録媒体を読み取った画像を表す画像情報に基づいて画像認識処理を行った結果により、ユーザにより指定された識別情報を抽出する抽出手段と、ユーザにより入力された注釈情報を取得する取得手段と、前記抽出手段により抽出された識別情報と、前記識別情報記憶手段に記憶されている識別情報とが一致すると、当該識別情報に対応付けて前記識別情報記憶手段に記憶されている位置と、前記取得手段が取得した注釈情報とを対応付けて記憶する注釈情報記憶手段と、前記表示制御手段によって前記表示データに基づいた画像が表示されているときに、前記注釈情報記憶手段に記憶されている位置に関連させて、当該位置に対応付けて記憶されている前記注釈情報を出力する出力手段とを備えることを特徴とする画像表示装置を提供する。
本発明によれば、ユーザによって入力された注釈の内容をそのユーザが所望する位置に付加しておき、さらに、その注釈の内容をその位置に関連させてユーザに提示することが
できる。
【０００６】
また、本発明は、表示データを記憶する表示データ記憶手段と、前記表示データ記憶手段に記憶された表示データに基づいて画像を表示手段に表示させる表示制御手段と、前記表示手段に表示されている画像に対してユーザが指定した位置を特定する位置特定手段と、前記位置特定手段によって特定された位置に識別情報を割り当てる割当手段と、前記位置特定手段によって特定された位置と、前記割当手段により当該位置に割り当てられた前記識別情報とを対応付けて記憶する識別情報記憶手段と、前記識別情報をユーザに通知する通知手段と、ユーザにより入力された音声に基づいて音声認識処理を行った結果により、ユーザにより指定された識別情報を特定する識別情報特定手段と、ユーザにより入力された注釈情報を取得する取得手段と、前記識別情報特定手段により特定された識別情報と、前記識別情報記憶手段に記憶されている識別情報とが一致すると、当該識別情報に対応付けて前記識別情報記憶手段に記憶されている位置と、前記取得手段が取得した注釈情報とを対応付けて記憶する注釈情報記憶手段と、前記表示制御手段によって前記表示データに基づいた画像が表示されているときに、前記注釈情報記憶手段に記憶されている位置に関連させて、当該位置に対応付けて記憶されている前記注釈情報を出力する出力手段とを備えることを特徴とする画像表示装置を提供する。
本発明によれば、ユーザによって入力された注釈の内容をそのユーザが所望する位置に付加しておき、さらに、その注釈の内容をその位置に関連させてユーザに提示することが
できる。
【０００７】
本発明の画像表示装置において、ユーザによって前記識別情報および前記注釈情報が書き込まれた記録媒体を読み取った画像を表す画像情報を取得し、取得した画像情報が表す画像において、前記識別情報が書き込まれた画像領域と、前記注釈情報が書き込まれた画像領域とをそれぞれ特定する領域特定手段を備え、前記抽出手段は、前記領域特定手段が特定したそれぞれの画像領域から前記識別情報と前記注釈情報とを抽出し、前記取得手段は、前記抽出手段により抽出された前記注釈情報を取得するようにしてもよい。
この態様によれば、ユーザによって識別情報および注釈情報が書き込まれた記録媒体を読み取った画像から、その識別情報と注釈情報をそれぞれ抽出することができる。
【０００８】
また、本発明の画像表示装置において、ユーザによって前記識別情報および前記注釈情報がそれぞれ複数書き込まれている場合、前記抽出手段は、前記領域特定手段が特定したそれぞれの前記画像領域から前記識別情報と前記注釈情報とを抽出し、抽出した当該識別情報が書き込まれていた画像領域と、抽出した当該注釈情報が書き込まれていた画像領域との位置関係に基づいて、互いに関連する前記識別情報と前記注釈情報とを特定するようにしてもよい。
この態様によれば、ユーザによってそれぞれ複数種類の識別情報および注釈情報が書き込まれた場合であっても、互いに関連する識別情報及び注釈情報を抽出することができる。
【０００９】
また、本発明は、画像表示装置と入力装置とを備える画像表示システムにおいて、前記画像表示装置は、表示データを記憶する表示データ記憶手段と、前記表示データ記憶手段に記憶された表示データに基づいて画像を表示手段に表示させる表示制御手段と、前記表示手段に表示されている画像に対してユーザが指定した位置を特定する位置特定手段と、前記位置特定手段によって特定された位置に識別情報を割り当てる割当手段と、前記位置特定手段によって特定された位置と、前記割当手段により当該位置に割り当てられた前記識別情報とを対応付けて記憶する識別情報記憶手段と、前記識別情報をユーザに通知する通知手段と、記録媒体を読み取った画像を表す画像情報を前記入力装置から取得し、取得した画像情報に基づいて画像認識処理を行った結果により、ユーザにより指定された識別情報を抽出する抽出手段と、ユーザにより入力された注釈情報を前記入力装置から取得する取得手段と、前記抽出手段により抽出された識別情報と、前記識別情報記憶手段に記憶されている識別情報とが一致すると、当該識別情報に対応付けて前記識別情報記憶手段に記憶されている位置と、前記取得手段が取得した注釈情報とを対応付けて記憶する注釈情報記憶手段と、前記表示制御手段によって前記表示データに基づいた画像が表示されているときに、前記注釈情報記憶手段に記憶されている位置に関連させて、当該位置に対応付けて記憶されている前記注釈情報を出力する出力手段とを有し、前記入力装置は、ユーザによる前記画像情報および前記注釈情報の入力を受け付ける受付手段と、前記受付手段が入力を受け付けた前記画像情報および前記注釈情報を前記画像表示装置へ送信する送信手段とを有することを特徴とする画像表示システムを提供する。
本発明によれば、ユーザによって入力された注釈の内容をそのユーザが所望する位置に付加しておき、さらに、その注釈の内容をその位置に関連させてユーザに提示することができる。
【００１０】
また、本発明は、画像表示装置と入力装置とを備える画像表示システムにおいて、前記画像表示装置は、表示データを記憶する表示データ記憶手段と、前記表示データ記憶手段に記憶された表示データに基づいて画像を表示手段に表示させる表示制御手段と、前記表示手段に表示されている画像に対してユーザが指定した位置を特定する位置特定手段と、前記位置特定手段によって特定された位置に識別情報を割り当てる割当手段と、前記位置特定手段によって特定された位置と、前記割当手段により当該位置に割り当てられた前記識別情報とを対応付けて記憶する識別情報記憶手段と、前記識別情報をユーザに通知する通知手段と、ユーザにより入力された音声を表す音声信号を前記入力装置から取得し、取得した音声信号に基づいて音声認識処理を行った結果により、ユーザにより指定された識別情報を特定する識別情報特定手段と、ユーザにより入力された注釈情報を前記入力装置から取得する取得手段と、前記識別情報特定手段により特定された識別情報と、前記識別情報記憶手段に記憶されている識別情報とが一致すると、当該識別情報に対応付けて前記識別情報記憶手段に記憶されている位置と、前記取得手段が取得した注釈情報とを対応付けて記憶する注釈情報記憶手段と、前記表示制御手段によって前記表示データに基づいた画像が表示されているときに、前記注釈情報記憶手段に記憶されている位置に関連させて、当該位置に対応付けて記憶されている前記注釈情報を出力する出力手段とを有し、前記入力装置は、ユーザによる音声および前記注釈情報の入力を受け付ける受付手段と、前記受付手段が入力を受け付けた音声を表す音声信号および前記注釈情報を前記画像表示装置へ送信する送信手段とを有することを特徴とする画像表示システムを提供する。
本発明によれば、ユーザによって入力された注釈の内容をそのユーザが所望する位置に付加しておき、さらに、その注釈の内容をその位置に関連させてユーザに提示することができる。
【００１１】
また、本発明は、コンピュータを、表示データを記憶する表示データ記憶手段と、前記表示データ記憶手段に記憶された表示データに基づいて画像を表示手段に表示させる表示制御手段と、前記表示手段に表示されている画像に対してユーザが指定した位置を特定する位置特定手段と、前記位置特定手段によって特定された位置に識別情報を割り当てる割当手段と、前記位置特定手段によって特定された位置と、前記割当手段により当該位置に割り当てられた前記識別情報とを対応付けて記憶する識別情報記憶手段と、前記識別情報をユーザに通知する通知手段と、記録媒体を読み取った画像を表す画像情報に基づいて画像認識処理を行った結果により、ユーザにより指定された識別情報を抽出する抽出手段と、ユーザにより入力された注釈情報を取得する取得手段と、前記抽出手段により抽出された識別情報と、前記識別情報記憶手段に記憶されている識別情報とが一致すると、当該識別情報に対応付けて前記識別情報記憶手段に記憶されている位置と、前記取得手段が取得した注釈情報とを対応付けて記憶する注釈情報記憶手段と、前記表示制御手段によって前記表示データに基づいた画像が表示されているときに、前記注釈情報記憶手段に記憶されている位置に関連させて、当該位置に対応付けて記憶されている前記注釈情報を出力する出力手段として機能させるためのプログラムを提供する。
本発明によれば、ユーザによって入力された注釈の内容をそのユーザが所望する位置に付加しておき、さらに、その注釈の内容をその位置に関連させてユーザに提示することができる。
【００１２】
また、本発明は、コンピュータを、表示データを記憶する表示データ記憶手段と、前記表示データ記憶手段に記憶された表示データに基づいて画像を表示手段に表示させる表示制御手段と、前記表示手段に表示されている画像に対してユーザが指定した位置を特定する位置特定手段と、前記位置特定手段によって特定された位置に識別情報を割り当てる割当手段と、前記位置特定手段によって特定された位置と、前記割当手段により当該位置に割り当てられた前記識別情報とを対応付けて記憶する識別情報記憶手段と、前記識別情報をユーザに通知する通知手段と、ユーザにより入力された音声に基づいて音声認識処理を行った結果により、ユーザにより指定された識別情報を特定する識別情報特定手段と、ユーザにより入力された注釈情報を取得する取得手段と、前記識別情報特定手段により特定された識別情報と、前記識別情報記憶手段に記憶されている識別情報とが一致すると、当該識別情報に対応付けて前記識別情報記憶手段に記憶されている位置と、前記取得手段が取得した注釈情報とを対応付けて記憶する注釈情報記憶手段と、前記表示制御手段によって前記表示データに基づいた画像が表示されているときに、前記注釈情報記憶手段に記憶されている位置に関連させて、当該位置に対応付けて記憶されている前記注釈情報を出力する出力手段として機能させるためのプログラムを提供する。
本発明によれば、ユーザによって入力された注釈の内容をそのユーザが所望する位置に付加しておき、さらに、その注釈の内容をその位置に関連させてユーザに提示することができる。
【発明を実施するための最良の形態】
【００１３】
次に、本発明を実施するための最良の形態について説明する。本実施形態において、「注釈」とは、電子文書等が表示された画像に付加する目的で、ユーザによって用紙等の記録媒体に記入される文字や記号或いは図形等からなる記載のことをいう。
（Ａ）実施形態の構成
図１は、本実施形態に係る画像表示システム１の概観図である。同図に示すように、この画像表示システム１は、画像表示装置１００と、画像読取装置２００とを備えている。画像表示装置１００は、電子ペーパーなどと呼ばれる可搬型の表示装置である。画像読取装置２００は、用紙等の記録媒体に記された内容を光学的に読み取って、その読取画像データを画像表示システム１に入力する入力装置である。画像表示装置１００と画像読取装置２００とは、必要に応じてＵＳＢ（Universal Serial Bus）ケーブルなどの通信ケーブル３００を介して接続されることにより、相互にデータの遣り取りを行うことができる。
【００１４】
画像表示装置１００の前面には、表示部１００Ｄと、複数の操作キー１０７ａとが設けられている。表示部１００Ｄは、画像を表示する記憶性表示体と、その表面に設けられたタッチスクリーンとを備えている。操作キー１０７ａは、ユーザが表示部１００Ｄに表示させる文書表示データや、文書表示データが複数のページを含んでいる場合にはそのページを指定したり、表示部１００Ｄに表示された画像に対して注釈を付加するよう指示するための操作子である。また、この画像表示装置１００とともにユーザに用いられるものとして、ペン状のスタイラスペン１００Ｓがある。このスタイラスペン１００Ｓは、表示部１００Ｄに表示された画像に対して注釈の内容を書き込む位置をユーザが指定するための操作子である。
【００１５】
次に、画像表示装置１００の構成について説明する。
図２は、画像表示装置１００の構成を示すブロック図である。
同図に示すように、画像表示装置１００は、電源部１０１と、ＣＰＵ１０２と、ＲＯＭ１０３と、ＲＡＭ１０４と、フラッシュメモリ１０５と、通信部１０６と、操作部１０７と、表示体コントローラ１０８と、記憶性表示体１０９と、タッチスクリーン１１０とを備える。電源部１０１は、バッテリと電力制御回路とを備え、画像表示装置１００の作動に要する電力を供給する。電源部１０１のバッテリは、例えばＮｉ−Ｃｄ系電池やＬｉイオン系電池などの、充電可能な２次電池である。
【００１６】
ＣＰＵ１０２は、ＲＯＭ１０３やフラッシュメモリ１０５に記憶されたプログラムを実行することにより、文書表示データに基づいて記憶性表示体１０９に文書を表示させたり、その文書表示データに対して入力された注釈の内容をフラッシュメモリ１０５に記憶させるなどの制御を行う。ＲＡＭ１０４は、ＣＰＵ１０２がプログラムを実行する際に、ＣＰＵ１０２のワークエリアとして機能する。フラッシュメモリ１０５は、書き換え可能な記憶媒体であり、ＣＰＵ１０２により実行されるプログラムとか、上記の文書表示データや、注釈の内容を表す注釈情報のほか、メモＩＤ管理テーブル１０５１と注釈情報管理テーブル１０５２とを記憶する。通信部１０６は、通信ケーブル３００経由で通信を行うインタフェースであり、ＣＰＵ１０２は、通信部１０６に差し込まれた通信ケーブル３００を介して画像読取装置２００から送信されてくる画像情報を受信する操作部１０７は、前述した複数の操作キー１０７ａを備え、それぞれの操作キーに応じた操作信号をＣＰＵ１０２に出力する。
【００１７】
表示体コントローラ１０８は、記憶性表示体１０９を駆動する駆動回路である。この表示体コントローラ１０８は、フラッシュメモリ１０５に記憶された画像情報に基づいて、表示すべき画像に応じた駆動信号を記憶性表示体１０９に供給するとともに、記憶性表示体１０９に供給する電力のオン・オフを制御する。記憶性表示体１０９は、記憶性液晶による液晶層を有する表示体である。記憶性液晶とは、電圧を印加しなくても表示状態（すなわち階調）を維持することが可能な液晶のことであり、例えばコレステリック液晶である。タッチスクリーン１１０は、ユーザから見て記憶性表示体１０９の前面に設けられた透明のスクリーンであり、所定の微小領域毎に物体の接触の有無を感知するものである。この微小領域は、記憶性表示体１０９の所定数の複数の画素（例えば、１×１画素や３×３画素）にそれぞれ対応付けられている。タッチスクリーン１１０は、物体が接触していることを示す感知信号を微小領域毎に出力し、ＣＰＵ１０２に供給する。各々の微小領域に対しては、記憶性表示体１０９の表示領域の左上隅点を原点Ｏとしたｘｙ座標系に従って、それぞれの位置を表す座標（ｘ，ｙ）が割り当てられており、これらの各座標はＲＯＭ１０３に記憶されている。前述したように、このタッチスクリーン１１０及び記憶性表示体１０９によって表示部１００Ｄが構成されている。
【００１８】
ここで、フラッシュメモリ１０５に記憶されているメモＩＤ管理テーブル１０５１及び注釈情報管理テーブル１０５２の内容を説明する。
図３は、メモＩＤ管理テーブル１０５１の一例を示した図である。同図に示すように、このメモＩＤ管理テーブル１０５１においては、「メモＩＤ」と、「文書ＩＤ」と、「注釈付加位置情報」とが対応付けられている。「メモＩＤ」のフィールドには、それぞれの注釈情報が付加された位置に割り当てられた識別情報であるメモＩＤが書き込まれる。このメモＩＤは、注釈情報が付加された位置を識別する機能とともに、各々の注釈情報を識別する機能も備えており、「５６７８」や「ＡＢＣＤ」等の、数字やアルファベットによる４文字の文字列からなる。「文書ＩＤ」のフィールドには、各文書表示データに割り当てられた識別情報である文書ＩＤが書き込まれる。メモＩＤ管理テーブル１０５１の第１行に示した「/b/presentation.pdf」という文書ＩＤは、文書表示データの格納場所を表すフォルダ名「ｂ」と、ファイル名「presentation.pdf」とによって構成されたファイルパスである。「注釈付加位置情報」のフィールドには、表示部１００Ｄに表示された文書（画像）においてユーザにより注釈情報を付加するよう指定された位置を表した注釈付加位置情報が書き込まれる。この注釈付加位置情報には、文書表示データに含まれる複数のページのうち、ユーザが注釈情報を付加するよう指定されたページに割り当てられた識別情報（ページ識別情報）である「ページ番号」と、タッチスクリーン１１０における座標（ｘ、ｙ）の「ｘ座標」と「ｙ座標」（座標情報）とが含まれる。
【００１９】
次に、図４は、注釈情報管理テーブル１０５２の一例を示した図である。同図に示すように、この注釈情報管理テーブル１０５２には、「文書ＩＤ」と、「注釈付加位置情報」と、「格納アドレス」とが対応付けられて記述されている。「文書ＩＤ」および「注釈付加位置情報」のフィールドには、前述したとおりの文書ＩＤ、注釈付加位置情報がそれぞれ書き込まれている。「格納アドレス」のフィールドには、フラッシュメモリ１０５において注釈情報が格納されているメモリアドレスが書き込まれている。例えば、注釈情報管理テーブル１０５２の第１行には、「/e/shiryou.pdf」という文書ＩＤの文書表示データにおける「２２ページ目」の座標（３４,１３１）が割り当てられた位置に、格納アドレス「ＩＤ１０００１」に対応する記憶領域に格納された注釈情報を付加することが書き込まれている。この注釈情報管理テーブル１０５２によって、注釈付加位置情報と、注釈情報とが対応付けられることになる。
【００２０】
続いて、画像読取装置２００の構成について説明する。
図５は、画像読取装置２００の構成を示すブロック図である。同図に示すように、制御部２０１と、画像読取部２０２と、画像処理部２０３と、通信部２０４とを備える。
制御部２０１は、装置全体を制御するＣＰＵと、作業用のワークエリアを提供するＲＡＭと、各種制御プログラムを記憶するＲＯＭとを備え、ＲＯＭに記憶された制御プログラムに記述された手順に従って演算処理を行う。画像読取部２０２は、図示せぬ光源、結像レンズおよびラインセンサを有する。ユーザによってメモＩＤや注釈が書き込まれた用紙がこの画像読取部２０２の図示せぬプラテンガラスに置かれて読み取り開始が指示されると、光源がこの用紙に光を照射し、結像レンズが、用紙からの反射光をラインセンサの位置に結像する。ラインセンサは、結像された光を受光し、その光に応じた画像信号を生成して出力する。つまり、この画像読取部２０２は、ユーザによるメモＩＤおよび注釈の入力を受け付ける受付手段として機能することになる。画像処理部２０３は、画像読取部２０２によって生成された画像信号に対してＡ／Ｄ変換およびシェーディング補正等の処理を施して、画像読取部２０２が読み取った画像を表す画像情報を生成する。通信部２０４は、通信部１０６と同等の機能を有し、制御部２０１は、通信部２０４および通信ケーブル３００を介して接続された画像表示装置１００に対して、画像処理部２０３によって生成された画像情報を送信する。
【００２１】
（Ｂ）実施形態の動作
次に、図３に示したメモＩＤ管理テーブル１０５１や、図４に示した注釈情報管理テーブル１０５２の内容に沿って、実施形態の動作を説明する。なお、図３のメモＩＤ管理テーブル１０５１においては、メモＩＤ「５６７８」および「ＡＢＣＤ」に対応する「文書ＩＤ」および「注釈付加位置情報」はすでに書き込まれているが、これら以外のフィールドはブランクであるとする。同様に、図４の注釈情報管理テーブル１０５２においては、図示している第１行および第２行の内容は書き込まれているが、それ以外のフィールドはブランクであるとする。
【００２２】
（Ｂ−１）注釈を付加する位置の指定からメモＩＤの通知までの動作
まず、ユーザが注釈を付加する位置を指定すると、これに応じて、画像表示装置１００がメモＩＤを発行してユーザに通知するまでの動作について説明する。
図６は、画像表示装置１００のＣＰＵ１０２が実行するメモＩＤ通知処理の流れを示すフローチャートである。ここでは、画像表示装置１００と画像読取装置２００とは通信ケーブル３００を介して接続されておらず、ユーザは画像表示装置１００のみを操作する。
【００２３】
まず、会議室にて会議が開始されると、ユーザは発言者の発言に関連した文書を閲覧するべく、画像表示装置１００の操作部１０７を操作して、表示部１００Ｄに所望の文書Ａを表示させるための操作を行う。そして、操作部１０７から供給される操作信号に応じて、ＣＰＵ１０２はフラッシュメモリ１０５に記憶されている文書表示データを読み出し、読み出した文書表示データを表示体コントローラ１０８に出力し、文書Ａを表示部１００Ｄに表示させる（ステップＳＡ１）。この文書表示データは、ＰＤＦ（Portable Document Format）形式で生成されたものであり、複数のページを含んでいる。また、この文書表示データは、フラッシュメモリ１０５に設けられた「ａ」というフォルダ内に格納され、ファイル名は「docu1.pdf」であるとする。
【００２４】
図７は、このステップＳＡ１の処理結果として表示部１００Ｄに表示される文書Ａの表示例を示す図である。同図に示すように、表示部１００Ｄに表示されているのは、グラフや文章などが含まれた「１２ページ目」のページが表す画像である。ユーザは、同図に示す文書Ａの１２ページに所望の内容の注釈を書き込む場合、スタイラスペン１００Ｓを用いて注釈内容を書き込みたい表示部１００Ｄ上の任意の位置にタッチする。この操作により、表示部１００Ｄに表示されている文書Ａの画像に対する位置が指定されることになるから、ＣＰＵ１０２は、指定された位置に対応するｘｙ座標を特定する（ステップＳＡ２）。
【００２５】
ここで、図８は、ユーザが注釈を書き込みたい位置を指定するときの画像表示装置１００の態様を示す図である。図８に示すように、ユーザはスタイラスペン１００Ｓで注釈を書き込みたい位置Ｐをタッチして指定すると、タッチスクリーン１１０からその位置Ｐに応じた感知信号がＣＰＵ１０２に供給されてくるから、ＣＰＵ１０２は、ＲＯＭ１０３に記憶されたｘｙ座標に基づいて、指定されたタッチスクリーン１１０の位置Ｐを表すｘｙ座標（ｘ０，ｙ０）を特定する。ここでは、ｘ０＝「３２５」、ｙ０＝「５９８」とする。ｘｙ座標を特定すると、ＣＰＵ１０２は、決められたアルゴリズムに基づいてメモＩＤを発行し、それをそのｘｙ座標に割り当てる（ステップＳＡ３）。このとき、ＣＰＵ１０２は、メモＩＤ管理テーブル１０５１にすでに記憶されているものとは異なるメモＩＤを発行する必要がある。ここでは、メモＩＤ「１２３４」が発行されたとする。
【００２６】
続いて、ＣＰＵ１０２は、文書ＩＤおよびページ番号を取得する（ステップＳＡ４）。具体的には、ここでは、ＣＰＵ１０２が取得する文書ＩＤは「/a/docu1.pdf」であり、ページ番号は「１２」である。文書ＩＤは上述したように、文書表示データのファイルパスであり、文書Ａの文書表示データの属性情報としてそのヘッダ等に記述されているから、ＣＰＵ１０２がそれを特定するのは容易である。ページ番号についても、ＣＰＵ１０２が表示中の文書に基づいて特定することができる。
【００２７】
そして、ＣＰＵ１０２は、ステップＳＡ２で特定したｘｙ座標と、ステップＳＡ３で発行したメモＩＤと、ステップＳＡ４で取得した文書ＩＤおよびページ番号とを、メモＩＤ管理テーブル１０５１のそれぞれのフィールドに書き込むことにより、テーブルの内容を更新する（ステップＳＡ５）。この更新によってメモＩＤ管理テーブル１０５１は、図３から図９に示すような状態となる。図９の第３行目に記された内容が新たに書き込まれた情報である。ＣＰＵ１０２は、このメモＩＤ管理テーブル１０５１を参照することで、このメモＩＤに対応付けられた文書ＩＤ、ページ番号およびｘｙ座標に基づいて、ユーザにより指定された注釈を付加する位置を一意に特定することができる。
【００２８】
次に、ＣＰＵ１０２は、メモＩＤ管理テーブル１０５１に記述したメモＩＤをユーザに通知する（ステップＳＡ６）。ここでは、図１０に示すように、ＣＰＵ１０２は、表示部１００Ｄにおいて文書Ａが表示されている領域の上方（図の破線Ｑで囲まれた領域）に、「メモＩＤは“１２３４”です。」というメッセージを表示させる。この通知によって、ユーザは、自身が指定した位置に対応するメモＩＤを知ることができる。
【００２９】
（Ｂ−２）ユーザによる注釈の記入動作
次に、上記通知を見たユーザが注釈を記入する動作を説明する。
ユーザは、画像表示装置１００に表示されたメモＩＤを見ると、自身のノートやメモ帳等の用紙に、そのメモＩＤと、自身が所望する内容の注釈とを、ボールペンや万年筆等で記入する（書き込む）。
図１１は、ユーザによってメモＩＤおよび注釈が記入された用紙の一例を示す図である。これらの記入の様式はおおよそ決まっているので、ここで、この記入の手順について説明する。まず、ユーザは、表示部１００Ｄに表示されたメモＩＤを確認すると、用紙Ｓの任意の位置に、おおよそ正方形の枠線を左右方向に連続して４つ描く。この枠線内に含まれる領域を「メモＩＤ領域Ｔ１」と称する。続いて、ユーザはこのメモＩＤ領域Ｔ１の枠線の一部を含むように、任意の形状の枠線を描く。ここでは、図示のように、例えばメモＩＤ領域Ｔ１よりも大きな矩形の枠線を描いたものとする。この枠線内に含まれる領域を「注釈領域Ｔ２」と称する。続いて、ユーザはメモＩＤ領域Ｔ１の４つの枠線内に、左側から順に、確認したメモＩＤを１文字ずつ記入していく。つまり、ここでは、ユーザは「１」，「２」，「３」，「４」と順に記入する。そして、ユーザは文書Ａに書き込みたい注釈の内容を、注釈領域Ｔ２に記入する。ここでは、ユーザは、注釈として、二重線のアンダーラインが引かれた「◎要チェック」という文字を記入したものとする。
【００３０】
（Ｂ−３）注釈情報を付加するときの動作
次に、ユーザによって入力された注釈の内容を表す注釈情報を文書表示データに付加する動作について説明する。
図１２は、画像表示システム１が実行する注釈付加処理の流れを示すシーケンス図である。ユーザは、会議が終了して、会議室から自室に戻ると、用紙Ｓに記入した注釈を文書Ａの文書表示データに付加するべく、まず、画像表示装置１００の通信部１０６と、画像読取装置２００の通信部２０４とを通信ケーブル３００によって接続する。接続が完了すると、ユーザは、用紙Ｓを画像読取装置２００にセットし、図示せぬ操作キーを押下して、用紙Ｓの読み取りを指示する。この指示に応じて、画像読取装置２００の制御部２０１は、用紙Ｓを読み取り、読み取った画像を表す画像情報を生成する（ステップＳＢ１）。制御部２０１は生成した画像情報を、通信ケーブル３００を介して画像表示装置１００に送信する（ステップＳＢ２）。
【００３１】
画像表示装置１００のＣＰＵ１０２は、画像読取装置２００から画像情報を受信すると（ステップＳＢ３）、これをフラッシュメモリ１０５に記憶させてから、ＲＡＭ１０４に読み出す。そして、ＣＰＵ１０２は、この画像情報を解析して、メモＩＤと注釈情報とをそれぞれ抽出する「注釈抽出処理」を実行する（ステップＳＢ４）。次いで、ＣＰＵ１０２は、抽出したメモＩＤと、メモＩＤ管理テーブル１０５１とに基づいて注釈情報を付加する位置を特定し、この位置に対応付けて注釈情報を格納する「注釈格納処理」を実行する（ステップＳＢ５）。
【００３２】
ここで、ステップＳＢ４の「注釈抽出処理」と、ステップＳＢ５の「注釈格納処理」とについて、詳細に説明する。
（Ｂ−３−１）注釈抽出処理
図１３は、画像表示装置１００のＣＰＵ１０２が実行する「注釈抽出処理」の流れを示すフローチャートである。
まず、ＣＰＵ１０２は、取得した画像情報に基づいて解析領域を特定する（ステップＳＢ４１）。「解析領域」とは、画像情報が表す画像の全領域のうち、メモＩＤおよび注釈情報を抽出するための解析を行う対象となる画像領域のことをいう。ここでは、図１１に示したような、用紙Ｓに書き込まれたメモＩＤ領域Ｔ１および注釈領域Ｔ２内に対応する画像領域のことを指す。ＣＰＵ１２は、画像情報が表す線分画像に外接する外接矩形を生成し、その外接矩形の内側の領域を、解析領域として特定する。
【００３３】
次に、ＣＰＵ１０２は、この解析領域から、メモＩＤ領域Ｔ１および注釈領域Ｔ２のそれぞれに対応する画像を抽出する（ステップＳＢ４２）。ここでは、ＣＰＵ１０２は、画像パターンの比較などの画像認識処理を利用して、おおよその正方形の枠線が４つ連続した領域を特定することでメモＩＤ領域Ｔ１を抽出するとともに、メモＩＤ領域Ｔ１の枠線の一部を含む枠線で囲まれた領域を特定することで注釈領域Ｔ２を抽出している。
【００３４】
続いて、ＣＰＵ１０２は、メモＩＤ領域Ｔ１に対応する画像情報に対してＯＣＲ（Optical Character Recognition）を施して、どのような文字がメモＩＤとして記入されたかを認識して、メモＩＤに相当する文字列を抽出し、その各文字を所定のコード体系に従って文字コードに変換する（ステップＳＢ４３）。この文字コードには、周知のコードであるＪＩＳコードやＥＵＣコード或いはunicode等を用いることができるが、メモＩＤ管理テーブル１０５１の書き込みに用いた文字コードと同じものを用いる。
【００３５】
ここでは、文字列「１２３４」が抽出されるはずであるから、ＣＰＵ１０２は、メモＩＤ領域Ｔ１に対応する画像領域から抽出した文字列「１２３４」を、メモＩＤとして取得する（ステップＳＢ４４）。続いて、ＣＰＵ１０２は、注釈領域Ｔ２に対応する画像領域を表すビットマップ形式の画像情報を生成し、これを文書表示データに付加する注釈情報として取得する（ステップＳＢ４５）。この注釈情報は、ユーザにより記入された注釈の内容を表しており、ユーザが記入した文字の線部分以外の、背景に相当する画像領域が透過するような画像情報である。そして、ＣＰＵ１０２は、ステップＳＢ４４で取得したメモＩＤと、ステップＳＢ４５で生成した注釈情報とを対応付けてＲＡＭ１０４に記憶しておく。
【００３６】
（Ｂ−３−２）注釈格納処理
続いて、図１４は、画像表示装置１００のＣＰＵ１０２が実行する「注釈格納処理」の流れを示すフローチャートである。
まず、ＣＰＵ１０２は、フラッシュメモリ１０５に記憶されたメモＩＤ管理テーブル１０５１をＲＡＭ１０４に読み出す（ステップＳＢ５１）。このときのメモＩＤ管理テーブル１０５１の内容は、図９に示した通りである。続いて、ＣＰＵ１０２は、ステップＳＢ４４で取得してＲＡＭ１０４に読み出したメモＩＤと、メモＩＤ管理テーブル１０５１の「メモＩＤ」のフィールドに書き込まれているメモＩＤとを照合する（ステップＳＢ５２）。そして、ＣＰＵ１０２は、その照合の結果、メモＩＤが一致するものがあるか否かを判定する（ステップＳＢ５３）。ここでは、図１１に示した用紙Ｓを読み取った画像情報を用いているので、ＣＰＵ１０２は、メモＩＤ「１２３４」が一致すると判定することになる（ステップＳＢ５３；ＹＥＳ）。次に、ＣＰＵ１０２は、メモＩＤ管理テーブル１０５１においてこのメモＩＤに対応付けられている文書ＩＤおよび注釈付加位置情報を特定する（ステップＳＢ５４）。
【００３７】
そして、ＣＰＵ１０２は、フラッシュメモリ１０５に記憶されている注釈情報に対応付けて、注釈付加位置情報を記憶する（ステップＳＢ５５）。つまり、ＣＰＵ１０２は、注釈情報をフラッシュメモリ１０５に格納するとともに、その格納アドレスと注釈付加位置情報とを対応付けて注釈情報管理テーブル１０５２に記述する。これによって、注釈情報管理テーブル１０５２は、図４に示すような内容から図１５に示すような内容に更新される。具体的には、図１５に示す注釈情報管理テーブル１０５２の第３行に示すように、ＣＰＵ１０２がステップＳＢ５４で特定した文書ＩＤ「a/docu1.pdf」と、ページ番号「１２」、ｘ座標「３２５」、ｙ座標「５９８」からなる「注釈付加位置情報」と、ステップＳＢ５５で注釈情報を格納した格納アドレス「ＩＤ１０００３」とが、それぞれのフィールドに記述されることになる。
【００３８】
次に、ＣＰＵ１０２は、メモＩＤ管理テーブル１０５１から、このメモＩＤ「１２３４」に対応する記述を削除することにより、テーブルの内容を更新する（ステップＳＢ５６）。ここでは、図９に示したメモＩＤ管理テーブル１０５１における第３行目の内容が削除されることになる。このようにするのは、ステップＳＢ５５において、ＣＰＵ１０２は、注釈付加位置情報と注釈情報とを既にフラッシュメモリ１０５に記憶させたから、メモＩＤ管理テーブル１０５１における記述は必要ないからである。このように、必要のなくなったメモＩＤをその都度削除していけば、直ちにそのメモＩＤを再び利用することができるから、有限なメモＩＤ群を有効に活用することが可能となる。
なお、ステップＳＢ５３の判定結果が「ＮＯ」である場合には、例えば一致するメモＩＤがなかったり、メモＩＤを特定できなかったことになるから、ＣＰＵ１０２は以下の処理ステップを実行することなく、注釈情報を格納するための処理を終了する。
【００３９】
（Ｂ−３−３）注釈の提示
次に、注釈の内容をユーザに提示する動作を説明する。
この動作は、上述した注釈情報を付加する動作の直後のタイミングで行われてもよいし、また、注釈情報を付加する動作がなされてから或る程度の時間が経過し、ユーザが所望するタイミングで行われてもよい。以下では、図１４を参照しながら、注釈情報を付加する動作の直後のタイミングで行われる例で説明する。
【００４０】
図１４において、ＣＰＵ１０２はステップＳＢ５６のメモＩＤ管理テーブル１０５１を更新した後、操作部１０７がユーザによって操作されて、注釈が付加された文書表示データを表示するよう指示されたか否かを判断する（ステップＳＢ５７）。ここで、ＣＰＵ１０２は、例えば上記の文書Ａを表示するよう指示されたと判断したら（ステップＳＢ５７；ＹＥＳ）、文書表示データをフラッシュメモリ１０５から読み出して文書Ａを表示すると共に、フラッシュメモリ１０５に記憶しておいた注釈情報管理テーブル１０５２の内容に基づいて、注釈付加位置情報が示す位置に注釈情報を表示する（ステップＳＢ５８）。具体的には、ＣＰＵ１０２は、文書表示データを表示体コントローラ１０８に供給すると、注釈情報管理テーブル１０５２において、この文書表示データの文書ＩＤ「/a/docu1.pdf」に対応付けられた「注釈付加位置情報」および「格納アドレス」を参照する。図１５に示した注釈情報管理テーブル１０５２の第３行に示したように、この文書ＩＤには、注釈付加位置情報として、ページ番号「１２」、ｘ座標「３２５」およびｙ座標「５９８」が対応付けられ、格納アドレスとして「ＩＤ１０００３」が対応付けられている。この記述内容に応じて、ＣＰＵ１０２は、フラッシュメモリ１０５の格納アドレス「ＩＤ１０００３」に格納されている注釈情報を読み出し、この注釈情報に応じた注釈の内容を、文書表示データの（ｘ０，ｙ０）＝（３２５，５９８）で表される位置Ｐ（又は、その位置から所定距離の範囲内）に電子文書に重ねて表示させるよう、注釈情報を出力する。
【００４１】
ここで、図１６は、注釈情報が付加された状態で文書Ａが表示部１００Ｄに表示されている様子を示す図である。同図に示すように、この文書Ａには、座標位置Ｐ（ｘ０，ｙ０）に対応する破線Ｎで囲まれた位置に、ユーザによって書き込まれた注釈の内容（二重線のアンダーラインが引かれた「◎要チェック」）を読み取った画像が重ねて表示されている。よって、ユーザは、この破線Ｎで囲まれた位置の近傍の文書Ａの内容が“要チェック”であることを視覚的に容易に把握することができる。
【００４２】
以上説明した実施形態によれば、ユーザは、表示部１００Ｄの位置に割り当てられたメモＩＤと所望する注釈の内容とを用紙に記入し、これを画像読取装置２００に読み取らせるだけで、画像表示装置１００は読み取った画像に基づいてメモＩＤを特定し、ユーザの所望の位置に注釈を表示して、ユーザに提示することができる。よって、ユーザは、電子文書に直接的に注釈を書き込む必要はないし、また、４文字程度の短い文字列をメモＩＤとして記入するだけでよいので、注釈を文書に付加するためにユーザに強いられる負担も小さい。
【００４３】
（Ｃ）変形例
なお、上記実施形態を次のように変形してもよい。具体的には、例えば以下のような変形が挙げられる。これらの変形は、各々を適宜に組み合わせることも可能である。
（Ｃ−１）変形例１
上述した実施形態では、図１１に示したように、ユーザは１枚の用紙にメモＩＤ領域Ｔ１と注釈領域Ｔ２とを１つずつ描いて、これらの領域にメモＩＤと注釈内容とを１つずつ書き込んでいた。
これに対し、ユーザは１枚の用紙にメモＩＤ領域Ｔ１と注釈領域Ｔ２とをそれぞれ複数描き、これらの領域に複数のメモＩＤおよび注釈を書き込むようにしてもよい。この場合においても、４つの正方形の枠線からなる領域をメモＩＤ領域とし、この枠線の一部を含む別の枠線内を注釈領域とすることを、予め決めておけば、ＣＰＵ１０２は、１枚の用紙から互いに対応する各メモＩＤと注釈の内容とを正しく抽出し、特定することができる。
【００４４】
また、メモＩＤおよび注釈を記入するための専用用紙を用いてもよい。この場合、この専用用紙には、メモＩＤおよび注釈を書き込むための各領域の境界線や枠線が予めプリントされている。このようにすれば、ユーザがメモＩＤ領域Ｔ１及び注釈領域Ｔ２を描く負担が低減される。
また、メモＩＤ領域Ｔ１と注釈領域Ｔ２との位置関係は、実施形態で例示した内容に限らず、互いに位置が所定の関係を有していればよい。この場合、ＣＰＵ１０２は、認識したメモＩＤ領域Ｔ１と所定の位置関係を有し、枠線で囲まれた領域を注釈領域Ｔ２として認識すればよい。この態様のほかに、例えば、メモＩＤ領域のみを指定し、注釈領域を設けないようにしてもよい。この場合、ＣＰＵ１０２はメモＩＤ領域に基づいてメモＩＤを認識すると、それ以外の画像領域、またはメモＩＤ領域から所定の範囲内にある画像領域を、注釈が記入された領域と認識して、注釈情報を生成すればよい。
また、メモＩＤ領域Ｔ１や注釈領域Ｔ２の形状は矩形に限らず、予めパターンを決めておけば、例えば円形等にすることもできる。
【００４５】
また、用紙ＳにメモＩＤ領域Ｔ１および注釈領域Ｔ２を書き込まずに、メモＩＤと注釈内容のみを記入するようにしてもよい。ユーザは、メモＩＤを用紙の任意の位置に書き込むと、たいていの場合、そのメモＩＤの近傍に注釈を書き込むことになる。したがって、ＣＰＵ１０２は、メモＩＤ管理テーブル１０５１に書き込まれているメモＩＤと一致する文字列を抽出すると、それを基準とした所定距離の範囲内に含まれる記載を注釈内容と特定すればよい。このようにすれば、ユーザは記入の様式を気にしなくてよいので、より利便性が高くなる。しかしながら、注釈として書き込まれた文字列とメモＩＤとが偶然に一致してしまうと、ＣＰＵ１０２は、注釈をメモＩＤに関する記入と特定し、正しく注釈情報を生成することができない。よって、この場合、メモＩＤとしては「ＳｊＲｐ」等の、ランダムに選んだ意味を有しない文字列をメモＩＤとして割り当てることが望ましい。
以上説明したように、画像表示装置１００は、メモＩＤに相当する画像と、注釈に相当する画像との位置関係に基づいて、互いに関連するメモＩＤと注釈情報とを特定することができる。
【００４６】
（Ｃ−２）変形例２
上述した実施形態では、画像表示装置１００が文書に注釈の内容を付加して表示する場合には、注釈情報に応じた内容そのものを表示させていた。文書表示データの所望の位置に注釈情報を関連させる方法として、画像表示装置１００は、注釈付加位置情報が示す位置に、注釈情報が存在することを示すアイコン（例えば、メモ帳を意味する画像を用いる）を表示させるようにしてもよい。この場合、ユーザによりスタイラスペン１００Ｓでこのアイコンの位置がタッチされると、画像表示装置１００は、注釈情報管理テーブル１０５２を参照して、その注釈付加位置情報に対応付けられた注釈の内容を表示する。このとき、画像表示装置１００は、アイコンが選択されると、表示中の文書に重ねて別のウィンドウ（例えば、付箋を意味する画像）を表示させ、その中に注釈の内容を表示させるとよい。
【００４７】
（Ｃ−３）変形例３
上述した実施形態では、注釈情報は画像情報であり、画像表示装置１００は注釈の内容を画像として表示していたが、注釈情報はこれ以外の種別のデータ形式であってもよい。例えば、音声を表す音声情報を注釈情報とすることもできる。
この場合、ＣＰＵ１０２は、表示部１００Ｄに表示される文書上の注釈情報が付加された位置に、音声の出力を開始するスピーカ等を意味する画像をアイコンとして表示させる。そして、ユーザがスタイラスペン１００Ｓや操作キー１０７ａによってこのアイコンを選択すると、ＣＰＵ１０２は、選択されたアイコンに対応する注釈情報を音として出力する。つまり、ＣＰＵ１０２は、音声情報に応じた音声を図示せぬスピーカから出力させたり、音声信号をヘッドフォンやスピーカ等に接続された音声出力端子に出力する。
このように注釈情報を音声情報とする場合には、上記画像表示システム１における画像読取装置２００に代えて、ユーザによるメモＩＤおよび注釈情報の入力を受け付ける受付手段として、マイクロフォン等の音声入力装置を用いる。このマイクロフォンは、ユーザの声音の入力を受け付ける機能と、その音声を表す音声信号を出力する機能とを有する音声入力装置を用いる。この場合において、ユーザは、メモＩＤ「１２３４」を指定する際には、音声によって入力するべく、マイクロフォン（音声入力装置）にむかって、「いち、に、さん、し」と発音する。ＣＰＵ１０２は、マイクロフォンから出力される音声信号に基づいて、音声認識処理を行って、ユーザが発話したメモＩＤを特定し、特定したメモＩＤと、予めフラッシュメモリ１０５に記憶しておいたメモＩＤとを比較し、一致するメモＩＤを特定する。メモＩＤを特定すると、ＣＰＵ１０２は注釈情報の入力をユーザに促す。ユーザによって注釈の内容が発話されることによって、画像表示装置１００に音声信号が入力されると、ＣＰＵ１０２はこの音声信号に対応する音声情報を注釈情報とし、フラッシュメモリ１０５の所定の記憶領域に格納する。そして、ＣＰＵ１０２は、この注釈情報を格納した格納アドレスを、各音声情報に割り当てた識別情報であってファイルパスで表される音声ＩＤ（実施形態の文書ＩＤに対応）、および注釈付加位置情報に対応付けて、注釈情報管理テーブルに記述する。以降において、ＣＰＵ１０２は、注釈情報（音声情報）および注釈情報管理テーブルに基づいて、注釈情報を文書表示データに関連させる。
【００４８】
注釈情報は、更に別のデータ形式であってもよく、動画データやＨＴＭＬ（Hyper Text Markup Language）ファイル等でもよい。これらの場合、ＣＰＵ１０２は、ユーザによって、注釈付加位置情報に表示されたアイコンの位置が選択されると、画像表示装置１００は別のウィンドウを開いて、対応する注釈の内容表示させるとよい。また、ＣＰＵ１０２は、注釈領域Ｔ２に対応する画像領域にＯＣＲを実行し、ここから抽出した文字列に基づいて、例えばテキスト形式のファイルを生成し、このテキストファイルを注釈情報としてもよい。
【００４９】
（Ｃ−４）変形例４
上述した実施形態では、画像表示装置１００と画像読取装置２００との通信路は通信ケーブル３００であったが、ＬＡＮ（Local Area Network）等の有線の通信路であってもよい。また、無線の通信路であるBluetooth（登録商標）、ＵＷＢ（Ultra Wide Band）、ＩＥＥＥ（Institute of Electrical and Electronic Engineers）８０２．１１ｂ等を採用することもできる。要するに複数の装置間で情報の遣り取りを行うことができる通信路であればよい。
【００５０】
（Ｃ−５）変形例５
上述した実施形態では、スタイラスペン１００Ｓによって注釈情報の付加位置を指定していたが、マウス等のポインティングデバイスでもよいし、このようなポインティングデバイスを有しない装置にも本発明を適用することができる。ポインティングデバイスを有しない装置であれば、制御部は、ユーザに操作部１０７の操作キーを操作することにより、ＣＰＵ１０２に表示部１００Ｄに表示されるスクロールバーやカーソルを制御させ、文書の行単位や文字単位で、注釈付加位置情報を指定させるとよい。
【００５１】
（Ｃ−６）変形例６
また、画像表示装置１００のＣＰＵ１０２は、ユーザからの指示に応じて、注釈情報を付加した文書をフラッシュメモリ１０５に記憶させてもよい。このようにすれば、例えば画像表示装置１００が通信部１０６を介して外部装置に注釈情報を付加した文書表示データを送信する場合には、これらを１つの画像データとして扱うことができる。すなわち、この文書表示データを受信した外部装置は、注釈の内容を表示するための注釈情報管理テーブル１０５２や注釈情報等の各種情報を有していなくても、注釈の内容を付加した文書を表示することができる。
【００５２】
（Ｃ−７）変形例７
また、上述した実施形態では、画像表示装置１００は可搬型の表示装置であったが、デスクトップコンピュータやモバイルコンピュータなどの表示装置であってもよい。また、画像読取装置２００としてスキャナを用いていたが、これに代えて、デジタルカメラや撮影機能を有する携帯電話等を用いてもよい。
上述したＣＰＵ１０２が実行する制御プログラムは、磁気テープ、磁気ディスク、フレキシブルディスク、光記録媒体、光磁気記録媒体、ＣＤ（Compact Disk）、ＤＶＤ（Digital Versatile Disk）、ＲＡＭなどの記録媒体に記録した状態で提供し得る。
【図面の簡単な説明】
【００５３】
【図１】本発明の一実施形態である画像表示システムの概観を示す斜視図である。
【図２】画像表示装置の構成を示すブロック図である。
【図３】メモＩＤ管理テーブルの一例を示した図である。
【図４】注釈情報管理テーブルの一例を示した図である。
【図５】画像読取装置の構成を示すブロック図である。
【図６】画像表示装置のＣＰＵが実行するメモＩＤ通知処理の流れを示すフローチャートである。
【図７】表示部に表示される文書Ａの表示例を示す図である。
【図８】ユーザが注釈を書き込みたい位置を指定するときの画像表示装置の態様を示す図である。
【図９】メモＩＤ管理テーブルの一例を示した図である。
【図１０】表示部に表示される文書Ａの表示例を示す図である。
【図１１】ユーザによってメモＩＤおよび注釈が記入された用紙の一例を示す図である。
【図１２】画像表示システムが実行する注釈付加処理の流れを示すシーケンス図である。
【図１３】画像表示装置のＣＰＵが実行する「注釈抽出処理」の流れを示すフローチャートである。
【図１４】画像表示装置のＣＰＵが実行する「注釈格納処理」の流れを示すフローチャートである。
【図１５】注釈情報管理テーブルの一例を示した図である。
【図１６】注釈情報が付加された状態で文書Ａが表示部に表示されている様子を示す図である。
【符号の説明】
【００５４】
１…画像表示システム、１００…画像表示装置、１０１…電源部、１０２…ＣＰＵ、１０３…ＲＯＭ、１０４…ＲＡＭ、１０５…フラッシュメモリ、１０５１…メモＩＤ管理テーブル、１０５２…注釈情報管理テーブル、１０６…通信部、１０７…操作部、１０８…表示体コントローラ、１０９…記憶性表示体、１１０…タッチスクリーン、２００…画像読取装置、２０１…制御部、２０２…画像読取部、２０３…画像処理部、２０４…通信部、３００…通信ケーブル。
【図１】
0005181625.tif 000002
【図２】
0005181625.tif 000003
【図３】
0005181625.tif 000004
【図４】
0005181625.tif 000005
【図５】
0005181625.tif 000006
【図６】
0005181625.tif 000007
【図７】
0005181625.tif 000008
【図８】
0005181625.tif 000009
【図９】
0005181625.tif 000010
【図１０】
0005181625.tif 000011
【図１１】
0005181625.tif 000012
【図１２】
0005181625.tif 000013
【図１３】
0005181625.tif 000014
【図１４】
0005181625.tif 000015
【図１５】
0005181625.tif 000016
【図１６】
0005181625.tif 000017